【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
画面に表示されたオブジェクトが移動された方位に関する情報を送信する他装置から、前記情報を受信する情報処理装置であって、
前記方位に関する情報を受信する受信手段と、
前記情報処理装置の画面が向けられた方位を示す情報を取得する取得手段と、
前記受信手段が受信した前記方位に関する情報と、前記取得手段が取得した前記情報処理装置の画面が向けられた方位を示す情報とに基づいて、前記情報処理装置の画面において、前記他装置の画面に表示されたオブジェクトが移動された方位とは逆の方位から、前記他装置の画面に表示されたオブジェクトと同じオブジェクトを出現させる表示制御手段を備えることを特徴とする情報処理装置。
【請求項２】
地磁気を検知する検知手段を更に備え、
前記方位とは、前記検知手段によって検知された地磁気の情報に基づいて特定される絶対的な方位であることを特徴とする請求項１に記載の情報処理装置。
【請求項３】
前記取得手段が取得した前記情報処理装置の画面が向けられた方位を示す情報に基づいて、前記受信手段が受信した前記方位に関する情報を、当該画面上で定義される角度の情報に変換する変換手段を更に備え、
前記表示制御手段は、前記変換手段によって変換された角度の情報に従って、前記情報処理装置の画面において、前記他装置の画面に表示されたオブジェクトと同じオブジェクトを出現させることを特徴とする請求項１または２に記載の情報処理装置。
【請求項４】
前記表示制御手段は、前記受信手段が受信した前記方位に関する情報と、前記情報処理装置の画面の中心に基づいて、前記他装置の画面に表示されたオブジェクトと同じオブジェクトを出現させる位置を決定することを特徴とする請求項１乃至３のいずれか１項に記載の情報処理装置。
【請求項５】
前記表示制御手段は、前記他装置の画面において表示されていたオブジェクトが消失した位置の対角に相当する位置を、前記情報処理装置の画面において前記オブジェクトが出現する位置として決定することを特徴とする請求項１乃至４のいずれか１項に記載の情報処理装置。
【請求項６】
前記表示制御手段が、前記他装置の画面に表示されたオブジェクトと同じオブジェクトを出現させた方位を示す情報を保持する保持手段を更に備え、
前記表示制御手段は、前記受信手段が受信した前記方位に関する情報が、前記他装置の有する画面に表示されたオブジェクトが移動された方位が、前回と同じであったことを示す場合、前記保持手段が保持している情報が示す方位から、前記情報処理装置の画面に前記オブジェクトを出現させることを特徴とする請求項１乃至５のいずれか１項に記載の情報処理装置。
【請求項７】
前記オブジェクトとは、画像データに対応するサムネイル画像であって、
前記受信手段は、更に、前記前記他装置の画面に表示されたサムネイル画像に対応する画像データを受信することを特徴とする請求項１乃至６のいずれか１項に記載の情報処理装置。
【請求項８】
前記受信手段は、前記表示制御手段が、前記情報処理装置の画面に出現させたサムネイル画像に対し、ユーザ操作が入力されない場合には、前記サムネイル画像に対応する画像データを受信しないことを特徴とする請求項７に記載の情報処理装置。
【請求項９】
画面に表示されたオブジェクトが移動された方位に関する情報を受信する他装置へ、前記情報を送信する情報処理装置であって、
前記情報処理装置の画面上で指示される指示位置を取得する位置取得手段と、
前記位置取得手段が取得する指示位置の変化に基づいて、前記情報処理装置の画面に表示されたオブジェクトが移動された操作方向を決定する決定手段と、
前記情報処理装置の画面が向けられた方位を示す情報を取得する方位取得手段と、
前記決定手段が決定した前記操作方向と、前記取得手段が取得した前記情報処理装置の画面が向けられた方位を示す情報とに基づいて、前記画面に表示されたオブジェクトが移動された方位に関する情報を特定し、前記他装置に送信する送信手段と、
前記情報処理装置の画面に、前記決定手段が決定した操作方向に沿って該画面の外に向かって消失するように移動する前記オブジェクトを表示させる表示制御手段とを備える。
【請求項１０】
前記送信手段は、前記位置取得手段が取得する指示位置が変化することで、所定の条件を満たすようになった場合に、前記方位に関する情報を送信することを特徴とする請求項９に記載の情報処理装置。
【請求項１１】
前記オブジェクトとは、画像データに対応するサムネイル画像であって、
前記送信手段は、更に、前記情報処理装置の画面に表示されたサムネイル画像に対応する画像データを送信することを特徴とする請求項９または１０に記載の情報処理装置。
【請求項１２】
前記位置取得手段は、前記画面がタッチされた指示位置を取得し、
前記表示制御手段は、前記位置取得手段が取得する指示位置の変化に基づくドラッグ操作に従って、前記画面に表示されたオブジェクトを移動させることを特徴とする請求項９乃至１１のいずれか１項に記載の情報処理装置。
【請求項１３】
前記送信手段は、前記ドラッグ操作によって、前記オブジェクトのうち前記情報処理装置の画面に表示されている部分の面積が、所定の面積を下回るまで移動された場合に、前記方位に関する情報を送信することを特徴とする請求項１２に記載の情報処理装置。
【請求項１４】
前記送信手段は、前記ドラッグ操作によって、前記オブジェクトが前記情報処理装置の画面の縁まで移動された後、さらに押し出すようなドラッグ操作が入力された結果、前記表示されている部分の面積が前記所定の面積を下回るまで移動された場合に、前記方位に関する情報を送信することを特徴とする請求項１３に記載の情報処理装置。
【請求項１５】
画面に表示されたオブジェクトを移動させる操作に応じて、前記オブジェクトを送受信する送信側装置と受信側装置とから成る情報処理システムであって、
前記送信側装置は、
前記送信側装置の画面において指示されている指示位置を取得する位置取得手段と、
前記位置取得手段が取得する指示位置の変化に基づいて、前記送信側装置の画面に表示されたオブジェクトが移動される操作方向を決定する決定手段と、
前記送信側装置の画面が向けられた方位を示す情報を取得する第１方位取得手段と、
前記決定手段が決定した前記操作方向と、前記第１方位取得手段が取得した前記送信側装置の画面が向けられた方位を示す情報とに基づいて、前記画面に表示されたオブジェクトが移動された方位に関する情報を特定し、前記受信側装置に送信する送信手段と、
前記送信側装置の画面に、前記決定手段が決定した操作方向に沿って該画面の外に向かって消失するように移動する前記オブジェクトを表示させる表示制御手段とを備え、
前記受信側装置は、
前記送信側装置から送信された、前記方位に関する情報を受信する受信手段と、
前記受信側装置の画面が向けられた方位を示す情報を取得する第２方位取得手段と、
前記受信手段が受信した前記方位に関する情報と、前記第２方位取得手段が取得した前記受信側装置の画面が向けられた方位を示す情報とに基づいて、前記受信側装置の画面において、前記送信側装置の画面に表示されたオブジェクトが移動された方位とは逆の方位から、前記送信側装置の画面に表示されたオブジェクトと同じオブジェクトを出現させる表示制御手段とを備える
ことを特徴とする情報処理システム。
【請求項１６】
前記送信側装置の送信手段は、さらに前記送信側装置の画面に表示されたオブジェクトのうち、該オブジェクトが移動されたことによって前記送信側装置の画面から消失した部分を示す情報を送信し、
前記受信側装置の受信手段は、前記オブジェクトのうち前記送信側装置の画面から消失した部分を示す情報を受信し、
前記受信側装置の表示制御手段は、前記受信側装置の画面に、前記オブジェクトの前記送信側装置の画面から消失した部分を出現させることを特徴とする請求項１５に記載の情報処理システム。
【請求項１７】
前記受信側装置の画面において、前記送信側装置の画面に表示されていたオブジェクトが出現する位置は、前記送信側装置の画面において当該オブジェクトが消失した位置の対角に相当することを特徴とする請求項１５または１６に記載の情報処理システム。
【請求項１８】
画面に表示されたオブジェクトが移動された方位に関する情報を送信する他装置から、前記情報を受信する情報処理装置の制御方法であって、  
受信手段により、前記方位に関する情報を受信する受信工程と、  
取得手段により、前記情報処理装置の画面が向けられた方位を示す情報を取得する取得工程と、
受信された前記方位に関する情報と、取得された前記情報処理装置の画面が向けられた方位を示す情報とに基づいて、表示制御手段により、前記情報処理装置の画面において、前記他装置の画面に表示されたオブジェクトが移動された方位とは逆の方位から、前記他装置の画面に表示されたオブジェクトと同じオブジェクトを出現させる表示制御工程と、
を有することを特徴とする情報処理装置の制御方法。  
【請求項１９】
画面に表示されたオブジェクトが移動された方位に関する情報を受信する他装置へ、前記情報を送信する情報処理装置の制御方法であって、
位置取得手段により、前記情報処理装置の画面上で指示される指示位置を取得する位置取得工程と、
決定手段により、前記指示位置の変化に基づいて、前記情報処理装置の画面に表示されたオブジェクトが移動された操作方向を決定する決定工程と、
前記情報処理装置の画面が向けられた方位を示す情報を取得する方位取得工程と、
決定された前記操作方向と、取得された前記情報処理装置の画面が向けられた方位を示す情報とに基づいて、送信手段により、前記画面に表示されたオブジェクトが移動された方位に関する情報を特定し、前記他装置に送信する送信工程と、
表示制御手段により、前記情報処理装置の画面に、決定された前記操作方向に沿って該画面の外に向かって消失するように移動する前記オブジェクトを表示させる表示制御工程と、
を有することを特徴とする情報処理装置の制御方法。
【請求項２０】
コンピュータに読み込ませ実行させることで、前記コンピュータを請求項１乃至１４のいずれか１項に記載された情報処理装置として動作させるためのプログラム。
【請求項２１】
請求項２０に記載されたプログラムを記憶したコンピュータが読み取り可能なプログラムの記憶媒体。
【手続補正２】
【補正対象書類名】明細書
【補正対象項目名】０００７
【補正方法】変更
【補正の内容】
【０００７】
上記課題を解決する為、本願発明は、画面に表示されたオブジェクトが移動された方位に関する情報を送信する他装置から、前記情報を受信する情報処理装置であって、前記方位に関する情報を受信する受信手段と、前記情報処理装置の画面が向けられた方位を示す情報を取得する取得手段と、前記受信手段が受信した前記方位に関する情報と、前記取得手段が取得した前記情報処理装置の画面が向けられた方位を示す情報とに基づいて、前記情報処理装置の画面において、前記他装置の画面に表示されたオブジェクトが移動された方位とは逆の方位から、前記他装置の画面に表示されたオブジェクトと同じオブジェクトを出現させる表示制御手段を備えることを特徴とする。